(57)【要約】【課題】ダイレクトオンモードが設定されている場合でも、主回路への電源供給を自動的に制御することによって、無駄に電源消費することを防止することができる電源制御装置、電源制御装置を備えたプロジェクタ及び電源制御方法を提供する。【解決手段】ダイレクトオンモードがオン設定のときの実行条件を満たすか否かを判断するステップ（ステップＳ２２）と、ステップＳ２２において、実行条件を満たすと判断した場合にのみダイレクトオンモードを実行するステップ（ステップＳ２６）と、を有する。【選択図】図５
2009145522.tif 000002
【特許請求の範囲】
【請求項１】
電源供給に応じて主回路に電源を供給するダイレクトオンモードのオン設定とオフ設定とを切り替える設定切り替え部を備えた電源制御装置であって、
前記ダイレクトオンモードがオン設定のときの実行条件を設定する実行条件設定部と、
前記実行条件を満たす場合にのみ前記ダイレクトオンモードを実行する電源制御部と、を有することを特徴とする電源制御装置。
【請求項２】
前記電源制御部は、
前記ダイレクトオンモードがオン設定であるが、前記実行条件を満たさない場合、制御信号を受け付ける待機状態へ移行することを特徴とする請求項１に記載の電源制御装置。
【請求項３】
時刻を計時するとともに、曜日情報をカウントする時計部を有し、
前記電源制御部は、前記時計部が計時する時刻及び前記曜日情報の少なくとも何れかが前記実行条件と一致するか否かを判断することを特徴とする請求項１または２に記載の電源制御装置。
【請求項４】
前記実行条件設定部は、前記実行条件の設定変更指示に応じて前記実行条件を書き換えることを特徴とする請求項１から３の何れかに記載の電源制御装置。
【請求項５】
請求項１から４の何れかに記載の電源制御装置を備え、
光源部から放射された光を映像信号に応じて変調する光変調部と、この光変調部で変調された光を投写する投写部と、を備えたことを特徴とするプロジェクタ。
【請求項６】
電源供給に応じて主回路に電源を供給するダイレクトオンモードのオン設定とオフ設定とを切り替え制御する電源制御方法であって、
前記ダイレクトオンモードがオン設定のときの実行条件を満たすか否かを判断する判断ステップと、
前記判断ステップにおいて、前記実行条件を満たすと判断した場合にのみ前記ダイレクトオンモードを実行するステップと、を有することを特徴とする電源制御方法。
【発明の詳細な説明】
【技術分野】
【０００１】
本発明は、電源供給に応じて主回路に電源を供給するダイレクトオンモードのオン設定とオフ設定とを切り替え制御する電源制御装置、電源制御装置を備えたプロジェクタ及び電源制御方法に関する。
【背景技術】
【０００２】
プロジェクタなどの画像表示装置には、電源が供給されるとスタンバイ状態を経ることなく直接ランプが点灯し投写を開始するモードを備えたものが知られている。この機能は、いわゆるダイレクトオンモードと呼ばれている。ダイレクトオンモードがオフに設定されている場合は、電源が供給されると、まずはスタンバイ状態となる。スタンバイ状態では、本体スイッチやリモコン操作による入力がない限りランプが点灯することなく画像の投写は行わない。したがって、ダイレクトオンモードがオフに設定されている場合に停電が発生し、その後停電から復帰しても、スタンバイ状態となるため、直接ランプが点灯することはなく投写が行われることはない。
【０００３】
一方、ダイレクトオンモードがオンに設定されている場合に停電が発生し、その後停電から復帰した場合は、電源が供給されてランプが点灯し画像の投写を開始する。すなわち、本体スイッチあるいはリモコン操作によって電源を落としても、ダイレクトオンモードがオンに設定されている限り、停電から復帰するとランプは点灯してしまう。電源をオフにしたつもりのユーザーは、停電からの復帰時にランプが点灯したことを認識することがない。したがって、ユーザーが意図しないときにランプが点灯して無駄に電力を消費してしまう。また、長時間ランプを点灯させた場合はランプの寿命を短くしてしまうばかりでなく、本体が発熱して危険である。
【０００４】
ダイレクトオンモードをオンにして使用する場面としては、会議室などに天吊り状態でプロジェクタが設置され、壁の電源供給スイッチでオン/オフする場面が考えられる。このような場面では会議室に誰もいない時間に停電が発生し復帰すると、ランプが点灯したことに誰も気がつかず点灯したまま放置され、上記事態が発生する可能性が高い。
【０００５】
特許文献１には、このような事態に対応するため、ダイレクトオンモード起動後に、自動的に電源供給を制御する方法が提案されている。すなわち、ダイレクトオンモードがオン状態で起動した場合は、いわゆるパワーマネージメントモードが設定されるよう構成されている。パワーマネージメントモードとは、プロジェクタへ所定の信号や操作が無い状態が一定時間以上継続した場合に、プロジェクタの一部または全部の動作を停止するモードである。これにより、ダイレクトオンモードがオンに設定された状態で停電が発生し、その後復帰時にランプが点灯しても、一定時間だけ無信号状態が継続すればランプを消灯させることができる。したがって、ランプが点灯したことに誰も気がつかず点灯したまま放置されても、自動的にランプは消灯する。
【０００６】
【特許文献１】特開平２００７−７２３２２号公報
【発明の開示】
【発明が解決しようとする課題】
【０００７】
しかしながら、画像表示装置にビデオチューナー装置などが接続されており、常に映像信号が画像表示装置に対して出力されている場合等は、画像表示装置が無信号状態を検出することができず、上記パワーマネージメントモードが働かない。このため、停電から復帰後にランプが点灯すると、点灯したままの状態となり、無駄に電力を消費しランプの寿命も短くなる。
【０００８】
本発明は、上記課題を鑑みてなされたものであって、ダイレクトオンモードが設定されている場合でも、主回路への電源供給を自動的に制御することによって、無駄に電源消費することを防止することができる電源制御装置、電源制御装置を備えたプロジェクタ及び電源制御装置の制御方法を提供することを目的とする。
【課題を解決するための手段】
【０００９】
上記課題を解決することのできる本発明は、電源供給に応じて主回路に電源を供給するダイレクトオンモードのオン設定とオフ設定とを切り替える設定切り替え部を備えた電源制御装置であって、前記ダイレクトオンモードがオン設定のときの実行条件を設定する実行条件設定部と、前記実行条件を満たす場合にのみ前記ダイレクトオンモードを実行する電源制御部と、を有することを特徴とする。
【００１０】
上記構成によれば、ダイレクトオンモードがオン設定のときの実行条件を満たす場合にのみ、ダイレクトオンモードを実行するので、実行条件を満たさない場合は、ダイレクトオンモードを実行しない。したがって、実行条件をどのように設定するかによって、主回路への電源供給を自動的に制御する電源制御装置を提供することができる。
【００１１】
また、本発明の電源制御装置において、前記電源制御部は、前記ダイレクトオンモードがオン設定であるが、前記実行条件を満たさない場合、制御信号を受け付ける待機状態へ移行することを特徴とする。
【００１２】
また、上記構成によれば、実行条件を満たさない場合は、ダイレクトオンモードを実行することなく待機状態へ移行する。すなわち、制御信号を受け付けた場合は、主回路への電源供給を行うことなく、待機状態へ移行する。制御信号の入力があると、待機状態から制御信号に応じた処理を実行する。したがって、実行条件を満たさない場合は、制御信号の入力が無い限り、主回路へ電源が供給されることがないので無駄に電源消費することを防止することができる。
【００１３】
また、本発明の電源制御装置は、時刻を計時するとともに、曜日情報をカウントする時計部を有し、前記電源制御部は、前記時計部が計時する時刻及び前記曜日情報の少なくとも何れかが前記実行条件と一致するか否かを判断することを特徴とする。
【００１４】
上記構成によれば、時刻及び曜日情報の少なくとも何れかが実行条件と一致するか否かを判断する。すなわち、実行条件として時刻及び曜日情報の少なくとも何れかを設定することができる。したがって、ダイレクトオンモードを実行するか否かを、時刻及び曜日情報の少なくとも何れかの条件によって制御することができる。例えば、ダイレクトオンモードを実行したくない時間帯や曜日（逆に、ダイレクトオンモードを実行したい時間帯や曜日を設定してもよい。）を実行条件として設定しておけば、ユーザーが意図しないときに主回路に電源が供給されることがないので無駄に電力を消費することを防止することができる。
【００１５】
また、本発明の電源制御装置において、前記実行条件設定部は、前記実行条件の設定変更指示に応じて前記実行条件を書き換えることを特徴とする。
【００１６】
上記構成によれば、実行条件は書き換え可能なため、電源制御装置の使用形態に適合した実行条件を設定することができる。
【００１７】
また、上記課題を解決することのできる本発明は、上記何れかに記載の電源制御装置を備え、光源部から放射された光を映像信号に応じて変調する光変調部と、この光変調部で変調された光を投写する投写部と、を備えたことを特徴とするプロジェクタである。
【００１８】
上記構成によれば、プロジェクタは上記電源制御装置を備えているので、実行条件を満たす場合にのみダイレクトオンモードを実行し、主回路に電源を供給して光源部から放射された光を光変調部が映像信号に応じて変調し、変調された光を投写表示する。
例えば、会社で使用する場合を前提として会議室などに天吊り状態で設置されたプロジェクタの場合、ユーザーがプロジェクタを管理する時間や曜日は限定されることが多い。一般に、土曜日や日曜日、祝祭日など会社が休日となる日は管理することができない。また、平日であっても業務時間外は管理することができない。このように、プロジェクタの使用時間や曜日を実行条件とすることによって、ダイレクトオンモードを限定的に実行することができる。したがって、プロジェクタの管理者が不在のときに、停電が発生しその後復帰しても、実行条件を満たさなければ、ダイレクトオンモードを実行しないので、主回路となる光源部に電源供給されないので、無駄な電力消費を防止することができる。また、光源部の寿命を無駄に短縮化することを防止することができる。
【００１９】
また、上記課題を解決することのできる本発明は、電源供給に応じて主回路に電源を供給するダイレクトオンモードのオン設定とオフ設定とを切り替え制御する電源制御方法であって、前記ダイレクトオンモードがオン設定のときの実行条件を満たすか否かを判断するステップと、前記判断ステップにおいて、前記実行条件を満たすと判断した場合にのみ前記ダイレクトオンモードを実行するステップと、を有することを特徴とする。
【００２０】
上記構成によれば、ダイレクトオンモードがオン設定のときの実行条件を満たす場合にのみ、ダイレクトオンモードを実行するので、実行条件を満たさない場合は、ダイレクトオンモードを実行しない。したがって、実行条件をどのように設定するかによって、主回路への電源供給を自動的に制御することができる。
【発明を実施するための最良の形態】
【００２１】
以下、図面を参照して本発明に係る電源制御装置、電源制御装置を備えたプロジェクタ及び電源制御方法の一実施の形態について詳細に説明する。
【００２２】
図１は、本実施形態のプロジェクタの内部構成を示す制御ブロック図である。
以下では、液晶ライトバルブに光を透過させて、この液晶ライトバルブにより映像信号に応じて変調された光を拡大してスクリーンに投写する、いわゆる液晶プロジェクタを一実施形態として説明するが、他の方式を採用するプロジェクタを除外するものではない。例えば、微小ミラーアレイデバイスを使用したプロジェクタにも適用することが可能である。
【００２３】
（プロジェクタの内部構成）
本実施形態のプロジェクタ１は、主として映像入力部２、映像信号処理部３、映像投写部４（投写部）、電源制御装置５とを備えている。映像投写部４から放出された投写光は図示せぬ投写レンズによって拡大され、拡大された投写光Ｘがスクリーン２０に画像として映し出される。
【００２４】
映像投写部４は、画像形成部６（光変調部）及び光源部７のほか、図示せぬレンズ等の光学系を備えている。具体的には、少なくとも２枚のダイクロイックミラーを備えている。１つ目のダイクロイックミラーで、Ｒ（赤）の光成分を含む光束と、Ｇ（緑）の光成分とＢ（青）の光成分を含む光束とに分離し、さらに２つ目のダイクロイックミラーで、Ｇ（緑）の光成分とＢ（青）の光成分を含む光束からＧ（緑）の光成分とＢ（青）の光成分とを分離する。こうして、光源部７から放射された光をＲＧＢの３つの成分に分離することができる。
【００２５】
画像形成部６は、空間変調素子であり、ＲＧＢの各光成分に対応して設けられた３つの液晶ライトバルブを備えている。各液晶ライトバルブは、縦横に複数配置された画素から構成される。これらの画素に書き込まれた画像に、２つのダイクロイックミラーによってＲＧＢに分光された各光成分を透過又は反射させる。
【００２６】
映像投写部４は、さらに、各液晶ライトバルブを透過した光を合成するプリズムを備えており、プリズムを介して液晶ライトバルブからの透過光を合成し、投写レンズを介して投写光Ｘとして放出される。
【００２７】
映像入力部２は、ビデオ出力信号やパーソナルコンピュータからの映像信号を入力し、映像信号処理部３へ出力する。映像信号処理部３は、入力された映像信号に対して信号処理を行う。すなわち、映像入力部２から入力された映像信号がアナログ信号の場合は、アナログ/デジタル変換処理を行って所定のデジタル信号フォーマットに変換し、映像の表示状態（例えば、輝度、コントラスト、同期、トラッキング、色の濃さ、色合い等）の調整等を行い、画像形成部６に書き込む画像フレームを生成する。生成された画像フレームは、ＲＧＢの各液晶ライトバルブにそれぞれ書き込まれる。
上述したように、画像形成部６に光源部７から光が供給されると、ＲＧＢの各光成分が、各液晶ライトバルブに表示された画像フレームに応じて変調される。すなわち、映像投写部４からは、画像形成部６によって変調された透過光が合成され投写光Ｘとして出力される。
【００２８】
電源制御装置５は、制御部８、電源制御部９、実行条件設定部１４を備える設定切り替え部１０、キー入力処理部１１、時計１２、ランプ電源１３を備え、プロジェクタ１に対する電源供給を制御する。
制御部８は、電源制御装置５の動作を制御するとともに、プロジェクタ１の全体動作を統括制御する。電源制御部９は、外部からの電源供給を検出すると、実行条件に応じてランプ電源１３（主回路）に対して電源を供給するとともに、その他の機能部に電源を供給する。
【００２９】
設定切り替え部１０は、電源供給に応じてランプ電源１３に直接電源を供給するダイレクトオンモードの設定状態を不揮発性メモリ上に保持する。電源制御部９は電源供給を検出すると、設定切り替え部１０に設定されている電源モードの設定情報を読み出す。設定情報として、オフ設定が保持されていれば、ランプ電源１３に直接電源を供給することなく、他の機能部に対してのみ電源を供給し、いわゆるスタンバイモード（待機状態）を実行する。
【００３０】
一方、設定情報として、オン設定が保持されていれば、さらに実行条件設定部１４が保持している実行条件を読み出す。実行条件を満たす場合には、ランプ電源１３に直接電源を供給するとともに、他の機能部に電源を供給し、いわゆるダイレクトオンモードを実行する。ダイレクトオンモードを実行した場合には、電源制御部９が電源供給を検出すると、直接ランプ電源１３に電源が供給されるので、光源部７が駆動し画像形成部６に対して光を供給する。そして、他の機能部に対しても同時に電源が供給されるので、常に映像入力部２に映像信号が入力されている場合であれば、外部から電源が供給されるのと同時に投写スクリーン２０に対して投写を行うことがでる。これがダイレクトオンモードのメリットである。
【００３１】
ところが、実行条件設定部１４が保持する実行条件を満たさない場合には、ランプ電源１３に直接電源を供給することなく、他の機能部に対してのみ電源を供給し、いわゆるスタンバイモードを実行する。スタンバイモードにおいては、ランプ電源１３以外に電源は供給されているが、次の動作を指定する制御信号が無い限り、動作処理は行われない。したがって、スタンバイモードから投写処理を実行するには、ランプ電源１３に電源を供給するための制御信号の入力が無ければならない。
【００３２】
キー入力処理部１１は、プロジェクタ本体の操作部やリモコンなどから与えられた入力操作を制御信号として検出する。制御信号は、制御部８を介して解析されて各機能部に伝達される。ここで、制御部８は、キー入力処理部１１から入力された制御信号を解析した結果、ランプ電源１３に電源を供給するための制御信号であると解析すると、電源制御部９に対してランプ電源１３へ電源を供給するよう指示する。
【００３３】
このように、スタンバイモードにおいてはランプ電源１３には直接電源は供給されていないが、キー入力処理部１１から電源を供給する旨の制御信号が入力されると、電源制御部９を介してランプ電源１３に電源が供給され、光源部７が駆動し画像形成部６に対して光を供給する。
【００３４】
時計部１２は、電源制御装置５に内蔵されたリアルタイムクロックであり、バックアップ電源により駆動する。時刻を計時するとともに、曜日情報をカウントする。
【００３５】
ここで、電源制御部９は、時計部１２が計時する時刻及び曜日情報の少なくとも何れかが実行条件設定部１４に設定されている実行条件と一致するか否かを判断する。すなわち、制御部９は、設定切り替え部１０からダイレクトオンモードの設定情報を読み出すとともに、実行条件設定部１４が保持している時刻及び曜日情報を読み出し、時計部１２が計時する現在の時刻及び曜日情報と一致するか否かを判断する。一致すると判断した場合は、ダイレクトオンモードを実行し、一致しないと判断した場合は、ダイレクトオンモードを実行することなく、スタンバイモードへ移行する。
【００３６】
（ダイレクトオンモード設定処理について）
次に、プロジェクタ１が備えるダイレクトオンモードの設定処理について説明する。図２は、ダイレクトオンモードの設定処理を説明するためのフローチャートであり、図３及び図４は、スクリーン２０に表示されたダイレクトオンモードの設定画面を模式的に示した図である。
【００３７】
キー入力処理部１１が、プロジェクタ本体の操作部やリモコンなどから与えられた入力操作を制御信号として検出すると、制御部８はその制御信号を解析する。解析した結果、メニュー操作を実行するための制御信号であると判断すると（ステップＳ１１：Ｙｅｓ）、映像投写部４を介してメニュー画面をスクリーン２０に表示する（ステップＳ１２）。図３に示すように、スクリーン２０にはメニュー画面が表示される。ユーザーは、メニュー画面を見ながら、プロジェクタ本体の操作ボタンあるいはリモコンから、設定項目を選択する。
【００３８】
本実施形態では、設定項目である[画質調整]、[映像]、[設定]、[拡張設定]、[ネットワーク]、[情報]、及び[初期化]のうち、[拡張設定]を選択すると、拡張設定できる詳細項目が同じ画面に表示される。さらに、拡張設定の詳細項目である、[表示設定]、[ユーザーロゴ]、[設置モード]、[動作設定]、[待機モード]、[言語]、及び[初期化]のうち、[動作設定]を選択すると、図４に示す動作設定の詳細項目が表示される。ここで、ユーザーは[ダイレクトオン機能]を「オン」に設定し、さらに[ダイレクトオン時間]を入力する。ここで、[ダイレクトオン時間]は上述した実行条件となる項目であり、本実施形態では、月曜日から金曜日の０８:００から１８:００と入力する。
【００３９】
制御部８は、キー入力処理部１１を介してダイレクトオンモードの実行条件が入力されたと判定すると（ステップＳ１３：Ｙｅｓ）、設定切り替え部１０は電源モード設定情報を「オン設定」とし、実行条件設定部１４は実行条件を「月−金  ０８:００−１８:００」として書き換える（ステップＳ１４）。
【００４０】
一方、図３に示すメニュー画面表示後、他の設定処理を実行するための制御信号が入力された場合は、制御信号に応じた他の設定処理を行う。
【００４１】
（電源制御装置が行う電源制御処理について）
次に、プロジェクタ１に外部電源が供給されたときに電源制御装置が行う電源制御処理について説明する。図５は、電源制御処理を説明するためのフローチャートである。
まず、外部電源が供給されると、電源制御部９は、設定切り替え部１０が保持する電源モードを読み出す（ステップＳ２１）。ここでは上述した、ダイレクトオンモード設定処理によって設定した設定内容を読み出し、ダイレクトオンモードがオン設定になっていることを認識する。なお、ダイレクトオンモードがオフ設定になっている場合は（ステップＳ２２：Ｎｏ）、スタンバイモードへ移行する（ステップＳ２７）。
【００４２】
ダイレクトオンモードがオン設定であれば（ステップＳ２２：Ｙｅｓ）、実行条件設定部１４が保持するダイレクトオンモードの実行条件を読み出す（ステップＳ２３）。同様に、上述したダイレクトオンモード設定処理において設定した実行条件を読み出し、実行条件が「月−金  ０８:００−１８:００」になっていることを認識する。さらに、時計部１２が計時している現在時刻及び曜日情報を読み込み（ステップＳ２４）、現在時刻及び曜日情報が、ステップＳ２３で読み出した実行条件と一致するか否かを判定する（ステップＳ２５）。ここでは、現在時刻が０８:００から１８:００の間であって、曜日が月曜日から金曜日の何れかであれば、実行条件と一致すると判定し（ステップＳ２５：Ｙｅｓ）、ランプ電源１３に対して直接電源を供給し投写を開始する（ステップＳ２６）。すなわち、ダイレクトオンモードを実行する。
【００４３】
一方、ステップＳ２５で、現在時刻が０８:００から１８:００以外であるか、曜日が月曜日から金曜日の何れでもない場合は、実行条件と一致しないと判定し（ステップＳ２５：Ｎｏ）、スタンバイモードへ移行する（ステップＳ２７）。すなわち、ランプ電源１３に直接電源を供給することなく、他の機能部に対してのみ電源を供給し、キー入力処理部１１を介して制御信号が入力されるまで待機する。
【００４４】
スタンバイモードへ移行後、キー入力処理部１１を介して制御信号が入力されると、制御部８はその制御信号を解析し、ランプ電源１３をオンする制御信号であるか否かを判定する（ステップＳ２８）。例えば、ユーザーがスタンバイモードにおいてプロジェクタ本体の電源ボタンやリモコンの電源ボタンを押した場合は、ランプ電源１３をオンする制御信号が入力されたと判定し（ステップＳ２８：Ｙｅｓ）、ランプ電源１３に対して電源を供給し投写を開始する（ステップＳ２６）。一方、ユーザーがスタンバイモードにおいてプロジェクタ本体の電源ボタンやリモコンの電源ボタン以外のボタンを押した場合であって、ランプ電源１３をオンする制御信号以外の制御信号が入力された場合は（ステップＳ２８：Ｎｏ）、各制御信号に応じた動作を行う。
【００４５】
このように、本実施形態のプロジェクタ１が備える電源制御装置５は、ダイレクトオンモードがオン設定されている場合でも、さらにダイレクトオンモードの実行条件を満たすか否を判定し、実行条件を満たす場合にのみ、ダイレクトオンモードを実行する。一方、実行条件を満たさない場合は、スタンバイモードへ移行する。本実施形態の実行条件では、月曜日から金曜日の０８:００から１８:００のみダイレクトオンオードを実行するよう設定されているが、会社の会議室等に天吊りされて設置されているプロジェクタであれば、通常会議室に誰もいない状態となる時間帯を実行条件として設定すればよい。
【００４６】
これにより、プロジェクタ１を管理する者がいない時間帯に、停電が発生しその後停電から復帰した場合でも、復帰した時間が実行条件を満たす場合であれば、ダイレクトオンモードを実行することなくスタンバイモードへ移行する。したがって、主回路となる光源部７に電源供給されないので、無駄な電力消費を防止することができる。また、光源部の寿命を無駄に短縮化することを防止することができる。
【００４７】
また、本実施形態のプロジェクタ１が備える電源制御装置５は、プロジェクタ本体のボタンやリモコンからのメニュー信号が与えられると、これに応じてメニュー画面、設定画面を表示させ、入力された設定値に応じてダイレクトオンモードの実行条件を書き換える。このため、プロジェクタ１の使用形態に適合した実行条件を設定することができる。
【００４８】
なお、本実施形態では実行条件として時間と曜日情報を設定する方法を説明したが、他の実行条件を設定してもよい。例えば、プロジェクタ１が設置されている部屋の明るさを実行条件として設定してもよい。この場合、プロジェクタ１に明るさを検出するセンサを搭載し所定の明るさに満たない場合はスタンダードモードへ移行するようにしてもよい。
【００４９】
また、プロジェクタ１が設置されている部屋で発生する音を実行条件として設定してもよい。この場合は、プロジェクタ１に音を検出するセンサを搭載し、人の声や物音などの音が検出されない場合にスタンダードモードへ移行するようにしてもよい。
【００５０】
また、プロジェクタ１が設置されている部屋に人がいないことを実行条件として設定してもよい。この場合、プロジェクタ１に動くものに反応する人センサを搭載し、人を検出しなかった場合にスタンダードへ移行するようにしてもよい。
【図面の簡単な説明】
【００５１】
【図１】本実施形態のプロジェクタの内部構成を示す制御ブロック図である。
【図２】ダイレクトオンモードの設定処理を説明するフローチャートである。
【図３】スクリーンに表示されたプロジェクタのメニュー画面を示した図である。
【図４】スクリーンに表示されたダイレクトオンモードの設定画面を示した図である。
【図５】本実施形態の電源制御装置が行う電源制御処理を説明するフローチャートである。
【符号の説明】
【００５２】
１：プロジェクタ、２：映像入力部、３：映像信号処理部、４：映像投写部、５：電源制御装置、６：画像形成部、７：光源部、８：制御部、９：電源制御部、１０：設定切り替え部、１１：キー入力処理部、１２：時計部、１３：ランプ電源、１４：実行条件設定部、２０：スクリーン
【図１】
2009145522.tif 000003
【図２】
2009145522.tif 000004
【図３】
2009145522.tif 000005
【図４】
2009145522.tif 000006
【図５】
2009145522.tif 000007